(57)【要約】【課題】骨表面上に配置したときにより安定的に押さえやすい骨切り用テンプレートを提供する。【解決手段】骨９０の表面上に配置された配置状態のときに自身の内縁又は外縁が骨９０の表面に隣接して骨切りラインＬを定める輪郭３を有する環状の骨切り用テンプレート１であって、対向面１０と露出面１２とを備える。対向面１０は、配置状態のときに骨９０の表面に対向する。露出面１２は、対向面１０の背面側に位置する。露出面１２は、自身の周方向の少なくとも一部に対向面１０から離れる側に凸となる湾曲面１４を有する。【選択図】図２
2020025803.tif 000002
【特許請求の範囲】
【請求項１】
骨の表面上に配置された配置状態のときに自身の内縁又は外縁が前記骨の表面に隣接して骨切りラインを定める輪郭を有する環状の骨切り用テンプレートであって、
前記配置状態のときに前記骨の表面に対向する対向面と、
前記対向面の背面側に位置する露出面と、
を備え、
前記露出面は、自身の周方向の少なくとも一部に前記対向面から離れる側に凸となる湾曲面を有する
骨切り用テンプレート。
【請求項２】
前記湾曲面は、前記露出面の全周にわたって形成されている
請求項１に記載の骨切り用テンプレート。
【請求項３】
前記湾曲面は、前記露出面のうち少なくとも外縁側に形成されている
請求項１又は請求項２に記載の骨切り用テンプレート。
【請求項４】
前記露出面は、前記輪郭に沿った各位置において前記輪郭と直交する方向に切断した切断面での形状が直線状となるとともに前記対向面に隣接する平坦面を有し、
前記切断面において前記平坦面と前記対向面とのなす角度が鋭角であり、
前記平坦面における前記対向面側の縁が前記輪郭である
請求項１から請求項３のいずれか一項に記載の骨切り用テンプレート。
【請求項５】
前記露出面は、前記輪郭に沿った各位置において前記輪郭と直交する方向に切断した切断面での形状が直線状となるとともに前記対向面に隣接する平坦面を有し、
前記切断面において前記平坦面と前記対向面とのなす角度が直角であり、
前記平坦面における前記対向面側の縁が前記輪郭である
請求項１から請求項３のいずれか一項に記載の骨切り用テンプレート。
【請求項６】
前記平坦面は、前記露出面の内縁側に形成されている
請求項４又は請求項５に記載の骨切り用テンプレート。
【発明の詳細な説明】
【技術分野】
【０００１】
本発明は骨切り用テンプレートに関するものである。
【背景技術】
【０００２】
頭蓋骨の骨腫瘍を摘出し整復する手術では、例えば、患者の腫瘍部分を含む頭蓋骨を切開し、摘出した後、予め製造しておいた人工骨を切開部分に嵌め込むことで頭蓋骨を修復する方法がとられる。この手術では、頭蓋骨を切開する前段階で、頭蓋骨の骨切りラインをペンなどで患者の骨表面上に引く必要があり、特許文献１には、その骨切りラインを引くためのテンプレートが開示されている。このテンプレートは、環状に構成されており、患者の骨表面の切開する部分に配置されると、自身の外周側の輪郭によって骨切りラインを定めるように構成されている。このため、使用者は、一方の手でテンプレートの上面を押さえながら、他方の手でペンなどを持ち、テンプレートの外周側の輪郭に沿って線を引くことで、骨切りラインを引くことができる。
【先行技術文献】
【特許文献】
【０００３】
【特許文献１】特開２０１６−１５９０９２号公報
【発明の概要】
【発明が解決しようとする課題】
【０００４】
しかし、特許文献１に記載のテンプレートは、薄い板状に構成され、上面全体が平坦面であるため、構造上、テンプレートを押さえる指が滑ってしまうおそれがあった。また、指が滑りやすい構成であるため、テンプレートがずれないように安定的に押さえることが難しく、ペンなどをテンプレートの外周面に当てながら線を引こうとしたときに、押さえが不十分であることに起因してテンプレートが骨の表面上を滑ってずれてしまうという事態が生じる恐れがあった。
【０００５】
本発明は、上述した課題の少なくとも一つを解決するためになされたものであり、骨表面上に配置したときにより安定的に押さえやすい骨切り用テンプレートを提供することを解決すべき課題としている。
【課題を解決するための手段】
【０００６】
本発明の骨切り用テンプレートは、
骨の表面上に配置された配置状態のときに自身の内縁又は外縁が前記骨の表面に隣接して骨切りラインを定める輪郭を有する環状の骨切り用テンプレートであって、
前記配置状態のときに前記骨の表面に対向する対向面と、
前記対向面の背面側に位置する露出面と、
を備え、
前記露出面は、自身の周方向の少なくとも一部に前記対向面から離れる側に凸となる湾曲面を有する。
【０００７】
この骨切り用テンプレートによれば、使用者は、一方の手を露出面に当てて骨切り用テンプレートを押さえながら、他方の手でペンなどを持ち、骨切り用テンプレートの輪郭に沿って線を引くことで、容易に骨切りラインを引くことができる。さらに、この骨切り用テンプレートの露出面は、自身の周方向の少なくとも一部に対向面から離れる側に凸となる湾曲面を有している。このため、使用者は、この湾曲面に指を当てて骨切り用テンプレートを押さえることで、骨切り用テンプレートから指が滑りにくくなる。また、湾曲面に当てた複数の指で骨切り用テンプレートを広げる方向又は狭める方向に力をかけながら骨切り用テンプレートを押さえることで、骨切り用テンプレートが骨の表面から滑ってずれることを抑制することができる。したがって、使用者は、骨切り用テンプレートをより安定的に押さえることができる。
【０００８】
上記湾曲面を露出面の全周にわたって形成するようにしてもよい。
こうすれば、使用者が骨切り用テンプレートを押さえる位置の自由度を高めることができる。
【０００９】
上記湾曲面を、露出面のうち少なくとも外縁側に形成してもよい。
こうすれば、使用者は、骨切り用テンプレートを複数の指で狭める方向に力をかけながら押さえることができるので、骨切り用テンプレートを複数の指で広げる方向に力をかけながら押さえる場合と比較して、骨切り用テンプレートをより安定的に押さえることができる。
【００１０】
上記露出面は、輪郭に沿った各位置において輪郭と直交する方向に切断した切断面での形状が直線状となるとともに対向面に隣接する平坦面を有するようにしてもよい。さらに、上記切断面において平坦面と対向面とのなす角度が鋭角となるようにしてもよい。そして、平坦面における対向面側の縁が上記輪郭となるようにしてもよい。
こうすれば、骨切り用テンプレートの輪郭にペン先を当てた状態でペンを立てても、ペンが骨切り用テンプレートと干渉しにくくなる。このため、この骨切り用テンプレートによれば、ペンが骨切り用テンプレートと干渉することによってペン先が輪郭からずれることを抑制することができる。さらに、ペンを立てた状態で骨切りラインを引きやすくなるので、骨切り用テンプレートに対して対向面と平行な方向への外力がかかりにくくなり、骨切り用テンプレートが骨の表面上を滑ってずれることをより確実に防止することができる。
【００１１】
上記露出面は、輪郭に沿った各位置において輪郭と直交する方向に切断した切断面での形状が直線状となるとともに対向面に隣接する平坦面を有するようにしてもよい。さらに、上記切断面において平坦面と対向面とのなす角度が直角となるようにしてもよい。そして、平坦面における対向面側の縁が上記輪郭となるようにしてもよい。
こうすれば、切断面において平坦面と対向面とのなす角度が鋭角である場合と比較して、輪郭に当てたペン先が平坦面に乗り上げにくくなる。
【００１２】
上記平坦面は、露出面の内縁側に形成されていてもよい。
骨切りラインを骨切り用テンプレートの外縁に沿って引く場合、ペン先が骨切り用テンプレートの外縁の接線方向にずれてしまうおそれがある。これに対し、平坦面を露出面の内縁側に形成して、骨切り用テンプレートの内縁に沿って骨切りラインを引けば、こうしたずれの発生を回避することができる。
【発明の効果】
【００１３】
本発明によれば、使用者が骨切り用テンプレートを安定的に押さえやすくなる。
【図面の簡単な説明】
【００１４】
【図１】骨切り用テンプレート１の平面図である。
【図２】図１のＡ−Ａ線に沿って切断した断面図である。
【図３】骨切り用テンプレート１を用いて骨切りラインＬを引く作業を上方から見た様子を表した説明図である。
【図４】骨切り用テンプレート１を用いて骨切りラインＬを引く作業を、骨切り用テンプレート１の輪郭の接線方向から見た様子を表した説明図である。
【図５】第２実施形態における骨切り用テンプレート２０１の断面図である。
【図６】第２実施形態の骨切り用テンプレート２０１を用いて骨切りラインＬを引く作業を上方から見た様子を表した説明図である。
【図７】第２実施形態の骨切り用テンプレート２０１を用いて骨切りラインＬを引く作業を、骨切り用テンプレート２０１の輪郭の接線方向から見た様子を表した説明図である。
【図８】第３実施形態における骨切り用テンプレート３０１の断面図である。
【図９】第３実施形態の骨切り用テンプレート３０１を用いて骨切りラインＬを引く作業を、骨切り用テンプレート３０１の輪郭の接線方向から見た様子を表した説明図である。
【図１０】第４実施形態における骨切り用テンプレート４０１の断面図である。
【図１１】第４実施形態の骨切り用テンプレート４０１を用いて骨切りラインＬを引く作業を、骨切り用テンプレート４０１の輪郭の接線方向から見た様子を表した説明図である。
【発明を実施するための形態】
【００１５】
１．第１実施形態
１−１．骨切り用テンプレート１
第１実施形態の骨切り用テンプレート１は、例えば開頭手術で用いられる医療用器具であり、患者の頭蓋骨９０（以下、骨９０ともいう）の表面に骨切りラインＬを引くために用いられるテンプレートである。図１に示す骨切り用テンプレート１は、例えば合成樹脂や金属などを構成材料としており、環状に構成されている。この骨切り用テンプレート１は、患者の骨９０の表面上に配置された配置状態のときに自身の縁に沿った骨切りラインＬを定めるものである。骨切り用テンプレート１は、上記配置状態のときに自身の内縁が骨９０の表面に隣接して骨切りラインＬを定める輪郭３を有している。
【００１６】
図２には、骨切り用テンプレート１を輪郭３と直交する方向に切断した切断面Ｄ１が示されている。骨切り用テンプレート１は、対向面１０と、露出面１２とを備えている。対向面１０は、上記配置状態のときに骨９０の表面に対向する面である。対向面１０は、自身が配置される部分の骨９０の表面と同じ形状に形成されている。このため、対向面１０は、配置状態のときに、全体が骨９０の表面と接した状態となる。
【００１７】
露出面１２は、対向面１０の背面側に位置する面であり、配置状態においては、頭蓋骨９０の外側の空間に露出する。露出面１２は、湾曲面１４と、平坦面１６とを有している。湾曲面１４は、骨切り用テンプレート１の周方向の少なくとも一部に形成されており、対向面１０から離れる側（対向面１０と直交する方向の一方側（上側））に凸となっている。換言すると、湾曲面１４は、骨切り用テンプレート１の周方向の所定範囲に形成されるとともに所定範囲の各位置において骨９０の表面から離れる側（対向面１０と直交する方向の一方側（上側））に凸となっている。このため、湾曲面１４は、切断面Ｄ１での形状が弧状となっている。この湾曲面１４は、切断面Ｄ１において、一端が対向面１０に隣接しており、他端が平坦面１６に隣接している。湾曲面１４は、露出面１２の全周にわたって形成されている。骨切り用テンプレート１は、湾曲面１４（露出面１２）が形成されたいずれの位置においても、輪郭３と直交する方向に切断した切断面が図２に示す形状となっている。
【００１８】
平坦面１６は、切断面Ｄ１での形状が直線状となっている。なお、平坦面１６は、切断面Ｄ１での形状が直線状であればよく、骨切り用テンプレート１における平坦面１６の形成領域全体の形状が平坦形状でなくてもよい。即ち、少なくとも骨切り用テンプレート１の周方向の各位置において平坦になっていればよい。この平坦面１６は、切断面Ｄ１において、一端が湾曲面１４に隣接しており、他端が対向面１０に隣接している。この平坦面１６における対向面１０側の縁が、骨切りラインＬを定める輪郭３となっている。平坦面１６は、露出面１２の全周にわたって形成されている。
【００１９】
切断面Ｄ１において、対向面１０は略直線状となっており、平坦面１６は直線状となっており、湾曲面１４は弧状となっている。このため、切断面Ｄ１は、略扇形状となっている。特に、本実施例の平坦面１６と対向面１０とのなす角度は直角となっている。このため、切断面Ｄ１は、中心角が直角となる略扇形状（１／４円形状）となっている。
【００２０】
湾曲面１４は、露出面１２の外縁側に形成されており、一部が骨切り用テンプレート１の外縁を構成している。平坦面１６は、露出面１２の内縁側に形成されており、骨切り用テンプレート１の内縁を構成している。
【００２１】
１−２．骨切り用テンプレート１の製造方法
次に、上述した骨切り用テンプレート１の製造方法の一例について説明する。骨切り用テンプレート１の製造方法では、まず、ＣＴ（Computed Tomography）やＭＲＩ（magnetic resonance imaging）などで患者の頭蓋骨９０の複数の断層データを取得し、これらの断層データに基づいて頭蓋骨９０の３次元データを取得する。そして、その３次元データに切開予定の部分を示す切開ラインを書き込む。そして、骨９０の３次元データ及び切開ラインに基づき、切開ラインを輪郭３として、骨９０の表面に沿った対向面１０を設定するとともに、この対向面１０の背面側に露出面１２を設定することで、骨切り用テンプレート１の図面データを取得する。こうして取得した図面データに基づき、切削加工や積層造形などにより骨切り用テンプレート１を製造する。
【００２２】
なお、骨切り用テンプレート１とともに、切開した部分に嵌め込む人工骨も予め製造しておく。すなわち、上記３次元データ及び切開ラインに基づき、切開ラインを外縁とした人工骨の図面データを取得し、この図面データに基づき、切削加工や積層造形などにより人工骨を製造する。
【００２３】
１−３．骨切り用テンプレート１の使用例
続いて、骨切り用テンプレート１の使用例について説明する。
図３に示すように、使用者は、骨切り用テンプレート１を患者の頭蓋骨９０の切開予定の部分に配置する。配置する位置は、頭蓋骨９０の上面に限らず、例えば側面であってもよい。
【００２４】
使用者は、患者の頭蓋骨９０の表面に配置した骨切り用テンプレート１を一方の手Ｈ（例えば左手ＨＬ）で押さえる。骨切り用テンプレート１の露出面１２には湾曲面１４が形成されているので、使用者は、この湾曲面１４に指を当てて骨切り用テンプレート１を押さえることで、骨切り用テンプレート１から指が滑りにくくなる。また、湾曲面１４に当てた複数の指（親指と別の指）で骨切り用テンプレート１を広げる方向又は狭める方向に力をかけながら骨切り用テンプレート１を押さえることで、骨切り用テンプレート１が骨９０の表面から滑ってずれることを抑制することができる。したがって、使用者は、骨切り用テンプレート１をより安定的に押さえることができる。
【００２５】
また、骨切り用テンプレート１の湾曲面１４は、露出面１２の外縁側に形成されている。このため、使用者は、骨切り用テンプレート１を複数の指（親指と別の指）で狭める方向に力をかけながら押さえることができるので、骨切り用テンプレート１を複数の指（親指と別の指）で広げる方向に力をかけながら押さえる場合と比較して、骨切り用テンプレート１をより安定的に押さえることができる。
【００２６】
さらに、骨切り用テンプレート１の湾曲面１４は、露出面１２の全周にわたって形成されている。このため、使用者が骨切り用テンプレート１を押さえる位置の自由度が高められている。
【００２７】
患者の頭蓋骨９０の表面に骨切り用テンプレート１が配置されると、配置状態の骨切り用テンプレート１の輪郭３（内縁側）によって、骨切りラインＬが定められる。このため、使用者は、一方の手Ｈ（例えば左手ＨＬ）で骨切り用テンプレート１を押さえ、他方の手Ｈ（例えば右手ＨＲ）でペン９２を持ち、骨切り用テンプレート１の輪郭３にペン９２のペン先９２Ａを当て、輪郭３に沿って線を引くことで骨切りラインＬを引くことができる。
【００２８】
骨切り用テンプレート１の輪郭３（平坦面１６）は、露出面１２の内縁側に形成されている。このため、使用者は、骨切りラインＬを骨切り用テンプレート１の内縁に沿って引くことができる。この場合、骨切り用テンプレート１の外縁に沿って引く場合のように、ペン先９２Ａが骨切り用テンプレート１の外縁の接線方向にずれてしまうおそれがなくなるので、線がずれにくくなる。
【００２９】
さらに、骨切り用テンプレート１は、露出面１２の外縁側に湾曲面１４が形成されており、且つ露出面１２の内縁側に平坦面１６が形成されている。このため、使用者は、一方の手Ｈ（例えば左手ＨＬ）で骨切り用テンプレート１の外縁側を押さえながら、他方の手Ｈ（例えば右手ＨＲ）で骨切り用テンプレート１の内縁に沿って骨切りラインＬを引くことができるので、骨切り用テンプレート１を押さえる手Ｈが線を引く作業の邪魔になりにくい。
【００３０】
さらに、図４に示すように、平坦面１６は対向面１０に対して直角をなしている。このため、切断面Ｄ１において平坦面１６と対向面１０とのなす角度が鋭角である場合と比較して、輪郭３に当てたペン先９２Ａが平坦面１６に乗り上げにくい。
【００３１】
使用者は、骨切りラインＬを引く際、図３に示すように、一方の手Ｈ（例えば左手ＨＬ）の複数の指（親指と別の指）を骨切り用テンプレート１の湾曲面１４に当てて骨切り用テンプレート１を押さえ、もう一方の手Ｈ（例えば右手ＨＲ）でペン９２を持ち、骨切り用テンプレート１を押さえる複数の指（親指と別の指）の間にペン先９２Ａを置くようにして骨切りラインＬを引く。そして、時計周り方向又は反時計回り方向に押さえる位置を少しずつ移動させるとともに、少しずつ骨切りラインＬを延長するようにして引いていく。このようにして骨切りラインＬを全周にわたって引き終わると、骨切りラインＬを引く作業が終了となる。その後は、患者の頭蓋骨９０を切開して、腫瘍を摘出し、切開部分に人工骨を嵌め込んで手術が終了となる。
【００３２】
２．第２実施形態
第２実施形態の骨切り用テンプレート２０１は、平坦面２１６（輪郭２０３）が露出面２１２の外縁側に形成されている点で、第１実施形態の骨切り用テンプレート１と異なり、その他の構成は骨切り用テンプレート１と同じである。なお、骨切り用テンプレート１と同様の構成、作用、及び効果については説明を省略し、主に異なる部分について説明する。
【００３３】
２−１．骨切り用テンプレート２０１
骨切り用テンプレート２０１は、環状に構成されており、配置状態のときに自身の外縁が骨９０の表面に隣接して骨切りラインＬを定める輪郭２０３を有している。
【００３４】
図５には、骨切り用テンプレート２０１を輪郭２０３と直交する方向に切断した切断面Ｄ２が示されている。骨切り用テンプレート２０１は、対向面１０と、露出面２１２とを備えている。露出面２１２は、対向面１０の背面側に位置する面であり、配置状態においては、頭蓋骨９０の外側の空間に露出する。露出面２１２は、湾曲面２１４と、平坦面２１６とを有している。湾曲面２１４は、骨切り用テンプレート２０１の周方向の少なくとも一部に形成されており、対向面１０から離れる側（対向面１０と直交する方向の一方側（上側））に凸となっている。換言すると、湾曲面２１４は、骨切り用テンプレート１の周方向の所定範囲に形成されるとともに所定範囲の各位置において骨９０の表面から離れる側（対向面１０と直交する方向の一方側（上側））に凸となっている。このため、湾曲面２１４は、切断面Ｄ２での形状が弧状となっている。この湾曲面２１４は、切断面Ｄ２において、一端が対向面１０に隣接しており、他端が平坦面２１６に隣接している。湾曲面２１４は、露出面２１２の全周にわたって形成されている。骨切り用テンプレート２０１は、湾曲面２１４（露出面２１２）が形成されたいずれの位置においても、輪郭２０３と直交する方向に切断した切断面が図５に示す形状となっている。
【００３５】
平坦面２１６は、切断面Ｄ２での形状が直線状となっている。なお、平坦面２１６は、切断面Ｄ２での形状が直線状であればよく、骨切り用テンプレート２０１における平坦面２１６の形成領域全体の形状が平坦形状でなくてもよい。即ち、少なくとも骨切り用テンプレート２０１の周方向の各位置において平坦になっていればよい。この平坦面２１６は、切断面Ｄ２において、一端が湾曲面２１４に隣接しており、他端が対向面１０に隣接している。この平坦面２１６における対向面１０側の縁が、骨切りラインＬを定める輪郭２０３となっている。平坦面２１６は、露出面２１２の全周にわたって形成されている。
【００３６】
切断面Ｄ２において、対向面１０は略直線状となっており、平坦面２１６は直線状となっており、湾曲面２１４は弧状となっている。このため、切断面Ｄ２は、略扇形状となっている。特に、本実施例の平坦面２１６と対向面１０とのなす角度は直角となっている。このため、切断面Ｄ２は、中心角が直角となる略扇形状（１／４円形状）となっている。
【００３７】
湾曲面２１４は、露出面２１２の内縁側に形成されており、一部が骨切り用テンプレート２０１の内縁を構成している。平坦面２１６は、露出面２１２の外縁側に形成されており、骨切り用テンプレート２０１の外縁を構成している。
【００３８】
なお、骨切り用テンプレート２０１の製造方法としては、第１実施形態の骨切り用テンプレート１の製造方法と同様の方法を採用することができるので、説明を省略する。
【００３９】
２−２．骨切り用テンプレート２０１の使用例
続いて、骨切り用テンプレート２０１の使用例について説明する。
図６に示すように、使用者は、骨切り用テンプレート２０１を患者の頭蓋骨９０の切開予定の部分に配置する。使用者は、患者の頭蓋骨９０の表面に配置した骨切り用テンプレート１を一方の手Ｈ（例えば左手ＨＬ）で押さえる。
【００４０】
上述したように、骨切り用テンプレート２０１は、露出面２１２の内縁側に湾曲面２１４が形成されている。このため、使用者は、例えば複数の指（親指と別の指）を湾曲面２１４に当てて、骨切り用テンプレート２０１を外側に広げるように力を加えることで、骨切り用テンプレート２０１を押さえることができる。また、骨切り用テンプレート２０１は、露出面２１２の外縁側に平坦面２１６が形成されている。このため、使用者は、図７に示すように、骨切り用テンプレート２０１の外縁に沿って線を引くことで、骨切りラインＬを引くことができる。
【００４１】
使用者は、一方の手Ｈ（例えば左手ＨＬ）の複数の指（親指と別の指）を骨切り用テンプレート２０１の湾曲面２１４に当てて骨切り用テンプレート２０１を押さえ、他方の手Ｈ（例えば右手ＨＲ）でペン９２を持ち、骨切り用テンプレート２０１の外縁（輪郭２０３）にペン先９２Ａを当て、輪郭２０３に沿って骨切りラインＬを引く。骨切りラインＬを全周にわたって引き終わると、骨切りラインＬを引く作業が終了となる。
【００４２】
３．第３実施形態
第３実施形態の骨切り用テンプレート３０１は、露出面３１２の全体が湾曲面３１４となっている点で、第１実施形態の骨切り用テンプレート１と異なり、その他の構成は骨切り用テンプレート１と同じである。なお、骨切り用テンプレート１と同様の構成、作用、及び効果については説明を省略し、主に異なる部分について説明する。
【００４３】
３−１．骨切り用テンプレート３０１
骨切り用テンプレート３０１は、環状に構成されており、配置状態のときに自身の内縁が骨９０の表面に隣接して骨切りラインＬを定める輪郭３０３を有している。
【００４４】
図８には、骨切り用テンプレート３０１を輪郭３０３と直交する方向に切断した切断面Ｄ３が示されている。骨切り用テンプレート３０１は、対向面１０と、露出面３１２とを備えている。露出面３１２は、対向面１０の背面側に位置する面であり、配置状態においては、頭蓋骨９０の外側の空間に露出する。露出面３１２は、湾曲面３１４を有しているが、平坦面は有していない。すなわち、露出面３１２の全体が湾曲面３１４となっている。湾曲面３１４は、対向面１０から離れる側（対向面１０と直交する方向の一方側（上側））に凸となっている。このため、湾曲面３１４は、切断面Ｄ３での形状が弧状となっている。この湾曲面３１４は、切断面Ｄ３において、一端が対向面１０の一端に隣接しており、他端が対向面１０の他端に隣接している。湾曲面３１４は、露出面３１２の全周にわたって形成されている。骨切り用テンプレート３０１は、湾曲面３１４（露出面３１２）が形成されたいずれの位置においても、輪郭３０３と直交する方向に切断した切断面が図８に示す形状となっている。
【００４５】
切断面Ｄ３において、対向面１０は略直線状となっており、湾曲面３１４は弧状となっている。このため、切断面Ｄ３は、略半円形状となっている。
【００４６】
なお、骨切り用テンプレート３０１の製造方法としては、第１実施形態の骨切り用テンプレート１の製造方法と同様の方法を採用することができるので、説明を省略する。
【００４７】
３−２．骨切り用テンプレート３０１の使用例
続いて、骨切り用テンプレート３０１の使用例について説明する。
図９に示すように、使用者は、骨切り用テンプレート３０１を患者の頭蓋骨９０の切開予定の部分に配置する。使用者は、患者の頭蓋骨９０の表面に配置した骨切り用テンプレート３０１を一方の手Ｈ（例えば左手ＨＬ）で押さえる。
【００４８】
上述したように、骨切り用テンプレート３０１は、露出面３１２の全体が湾曲面３１４となっている。このため、使用者は、骨切り用テンプレート３０１のどの位置を押さえても、湾曲面３１４を押さえることができる。すなわち、骨切り用テンプレート３０１を押さえる位置の自由度が高まる。
【００４９】
使用者は、一方の手Ｈ（例えば左手ＨＬ）の複数の指（親指と別の指）を骨切り用テンプレート３０１の湾曲面３１４に当てて骨切り用テンプレート３０１を押さえ、もう一方の手Ｈ（例えば右手ＨＲ）でペン９２を持ち、図９に示すように、骨切り用テンプレート３０１の内縁（輪郭３０３）にペン先９２Ａを当て、輪郭３０３に沿って骨切りラインＬを引く。骨切りラインＬを全周にわたって引き終わると、骨切りラインＬを引く作業が終了となる。
【００５０】
４．第４実施形態
第４実施形態の骨切り用テンプレート４０１は、対向面１０と平坦面４１６とが鋭角をなす点で、第１実施形態の骨切り用テンプレート１と異なり、その他の構成は骨切り用テンプレート１と同じである。なお、骨切り用テンプレート１と同様の構成、作用、及び効果については説明を省略し、主に異なる部分について説明する。
【００５１】
４−１．骨切り用テンプレート４０１
骨切り用テンプレート４０１は、環状に構成されており、配置状態のときに自身の内縁が骨９０の表面に隣接して骨切りラインＬを定める輪郭４０３を有している。
【００５２】
図１０には、骨切り用テンプレート４０１を輪郭４０３と直交する方向に切断した切断面Ｄ４が示されている。骨切り用テンプレート４０１は、対向面１０と、露出面４１２とを備えている。露出面４１２は、対向面１０の背面側に位置する面であり、配置状態においては、頭蓋骨９０の外側の空間に露出する。露出面４１２は、湾曲面４１４と、平坦面４１６とを有している。湾曲面４１４は、骨切り用テンプレート４０１の周方向の少なくとも一部に対向面１０から離れる側（対向面１０と直交する方向の一方側（上側））に凸となっている。換言すると、湾曲面４１４は、骨切り用テンプレート１の周方向の所定範囲に形成されるとともに所定範囲の各位置において骨９０の表面から離れる側（対向面１０と直交する方向の一方側（上側））に凸となっている。このため、湾曲面４１４は、切断面Ｄ４での形状が弧状となっている。この湾曲面４１４は、切断面Ｄ４において、一端が対向面１０に隣接しており、他端が平坦面４１６に隣接している。湾曲面４１４は、露出面４１２の全周にわたって形成されている。骨切り用テンプレート４０１は、湾曲面４１４（露出面４１２）が形成されたいずれの位置においても、輪郭４０３と直交する方向に切断した切断面が図１０に示す形状となっている。
【００５３】
平坦面４１６は、切断面Ｄ４での形状が直線状となっている。なお、平坦面４１６は、切断面Ｄ４での形状が直線状であればよく、骨切り用テンプレート４０１全体における平坦面４１６の形成領域全体の形状が平坦形状でなくてもよい。即ち、少なくとも骨切り用テンプレート４０１の周方向の各位置において平坦になっていればよい。この平坦面４１６は、切断面Ｄ４において、一端が湾曲面４１４に隣接しており、他端が対向面１０に隣接している。この平坦面４１６における対向面１０側の縁が、骨切りラインＬを定める輪郭４０３となっている。平坦面４１６は、露出面４１２の全周にわたって形成されている。
【００５４】
切断面Ｄ４において、対向面１０は略直線状となっており、平坦面４１６は直線状となっており、湾曲面４１４は弧状となっている。このため、切断面Ｄ２は、略扇形状となっている。特に、本実施例の平坦面２１６と対向面１０とのなす角度θは鋭角となっている。このため、切断面Ｄ４は、中心角θが鋭角となる略扇形状となっている。
【００５５】
湾曲面４１４は、露出面４１２の外縁側に形成されており、一部が骨切り用テンプレート４０１の外縁を構成している。平坦面４１６は、露出面４１２の内縁側に形成されており、一部が骨切り用テンプレート４０１の内縁を構成している。
【００５６】
なお、骨切り用テンプレート４０１の製造方法としては、第１実施形態の骨切り用テンプレート１の製造方法と同様の方法を採用することができるので、説明を省略する。
【００５７】
４−２．骨切り用テンプレート４０１の使用例
続いて、骨切り用テンプレート４０１の使用例について説明する。
図１１に示すように、使用者は、骨切り用テンプレート４０１を患者の頭蓋骨９０の切開予定の部分に配置する。使用者は、患者の頭蓋骨９０の表面に配置した骨切り用テンプレート４０１を一方の手Ｈ（例えば左手ＨＬ）で押さえ、他方の手Ｈ（右手ＨＲ）でペン９２を持ち、骨切り用テンプレート４０１の内縁（輪郭４０３）にペン先９２Ａを当て、輪郭４０３に沿って骨切りラインＬを引く。
【００５８】
上述したように、骨切り用テンプレート４０１は、対向面１０と平坦面４１６とがなす角度θが鋭角となっている。このため、骨切り用テンプレート４０１の輪郭４０３にペン９２のペン先９２Ａを当てた状態でペン９２を立てても、ペン９２が骨切り用テンプレート４０１に干渉しにくい。したがって、この骨切り用テンプレート４０１によれば、ペン９２が骨切り用テンプレート４０１と干渉することによってペン先９２Ａが輪郭４０３からずれることを抑制することができる。さらに、ペン９２を立てた状態で骨切りラインＬを引きやすくなるので、骨切り用テンプレート４０１に対して骨９０の表面に沿った方向への外力がかかりにくくなり、骨切り用テンプレート４０１が骨９０の表面から滑ってずれることをより確実に抑制することができる。
【００５９】
骨切りラインＬを全周にわたって引き終わると、骨切りラインＬを引く作業が終了となる。
【００６０】
＜他の実施形態＞
本発明は上記記述及び図面によって説明した実施形態に限定されるものではなく、例えば次のような実施形態も本発明の技術的範囲に含まれる。また、上述した実施形態や後述する実施形態の様々な特徴は、矛盾しない組み合わせであればどのように組み合わせてもよい。
【００６１】
第１実施形態、第２実施形態、及び第４実施形態では、骨切りラインＬを定める輪郭３，２０３，４０３を、平坦面１６，２１６，４１６の対向面１０側の縁としたが、湾曲面１４，２１４，４１４の対向面１０側の縁としてもよい。第３実施形態では、骨切りラインＬを定める輪郭３０３を、骨切り用テンプレート３０１の内縁側の縁としたが、外縁側の縁としてもよい。
【００６２】
第１実施形態、第２実施形態、及び第４実施形態では、露出面１２，２１２，４１２の内縁側又は外縁側の一方のみを平坦面としたが、両方を平坦面としてもよい。
【００６３】
第１〜第４実施形態では、湾曲面１４，２１４，３１４，４１４が露出面１２，２１２，３１２，４１２の全周にわたって形成されるようにしたが、骨切り用テンプレート１，２０１，３０１，４０１の周方向の一部にのみ形成されるようにしてもよく、周方向の一部に複数形成されるようにしてもよい。
【符号の説明】
【００６４】
１，２０１，３０１，４０１…骨切り用テンプレート
３，２０３，３０３，４０３…輪郭
１０…対向面
１２，２１２，３１２，４１２…露出面
１４，２１４，３１４，４１４…湾曲面
１６，２１６，３１６，４１６…平坦面
９０…頭蓋骨（骨）
【図１】
2020025803.tif 000003
【図２】
2020025803.tif 000004
【図３】
2020025803.tif 000005
【図４】
2020025803.tif 000006
【図５】
2020025803.tif 000007
【図６】
2020025803.tif 000008
【図７】
2020025803.tif 000009
【図８】
2020025803.tif 000010
【図９】
2020025803.tif 000011
【図１０】
2020025803.tif 000012
【図１１】
2020025803.tif 000013